(57)【要約】【課題】純水装置の再生に再生剤の計測に高価な流量計などを用いる必要がなく、設置スペースが大きい計量槽を必要とせず、塩酸から発生する塩化水素ガスによる腐食の問題を解決する。【解決手段】純水装置３４には原水中の不純物を除去するイオン交換樹脂層４９を形成する。イオン交換樹脂層４９のイオン交換樹脂を活性化する再生剤を貯槽２７から移送する再生剤移送路２８を設ける。再生剤移送路２８を移送した再生剤を計量する流量計３０を設け、純水装置３４に再生剤駆動水を供給するエゼクタ駆動水路３１のエゼクタ３２の被吸引部に流量計３０の二次側を接続する。エゼクタ３２の一次側と再生剤移送路２８とを流量計３０の一次側に切換え接続する三方弁２９を設け、流量計を洗浄できる。【選択図】        図１
2004305864.tif 000002
【特許請求の範囲】
【請求項１】
純水装置内の原水中の不純物を除去するイオン交換樹脂層に再生剤を注入し、イオン交換能力を失ったイオン交換樹脂層のイオン交換樹脂を活性化する純水装置の再生方法であって、
前記純水装置に流量計にて再生剤を計量しながら注入し、
この再生剤を前記純水装置に注入後、この純水装置のイオン交換樹脂層内に残留した再生剤を押し出す水を純水装置に注入するとともにこの水の少なくとも一部は前記流量計を経て純水装置に注入する
ことを特徴とする純水装置の再生方法。
【請求項２】
イオン交換樹脂は強酸性陽イオン交換樹脂であり、再生剤は塩酸であることを特徴とする請求項１記載の純水装置の再生方法。
【請求項３】
原水中の不純物を除去するイオン交換樹脂層を形成した純水装置と、
前記イオン交換樹脂層のイオン交換樹脂を活性化する再生剤を貯留する貯槽と、
この貯槽から移送された再生剤を計量する流量計と、
前記純水装置にエゼクタ駆動水を供給するエゼクタ駆動水路と、
このエゼクタ駆動水路に設けられ前記流量計の二次側を被吸引部に接続したエゼクタと、
このエゼクタの一次側と前記貯槽とを流量計の一次側に切換え接続する三方弁と
を備えたことを特徴とする純水装置の再生装置。
【発明の詳細な説明】
【０００１】
【発明の属する技術分野】
本発明は、イオン交換樹脂層によって原水中のイオン状塩類などの不純物を除去し、純水を採水する純水装置の再生方法及びその装置に関する。
【０００２】
【従来の技術】
強酸性陽イオン交換樹脂と強塩基性陰イオン交換樹脂を均一に混合して形成された混合イオン交換樹脂層により原水中のイオン状塩類などの不純物を除去し、純水を採水する純水装置では、この混合イオン交換樹脂層の強酸性陽イオン交換樹脂と強塩基性陰イオン交換樹脂とが原水中のイオン状塩類により飽和したときには、混合イオン交換樹脂層を分離して強酸性陽イオン交換樹脂は塩酸、強塩基性陰イオン交換樹脂は苛性ソーダによりそれぞれ再生する方法が採られている。
【０００３】
そして、従来の純水装置におけるイオン交換樹脂層の再生には、図３に示す再生方法が採られていた。この再生方法は、苛性ソーダの貯槽１及び塩酸の貯槽２からポンプ３，４にてそれぞれ苛性ソーダ及び塩酸を苛性ソーダ計量槽５及び塩酸計量槽６にそれぞれ移送し、この苛性ソーダ計量槽５及び塩酸計量槽６にイオン交換樹脂層の一回の再生に必要な苛性ソーダ及び塩酸をそれぞれ計量充填する。そして、再生工程では、エゼクタ駆動水路１３を流れるエゼクタ駆動水がエゼクタ７にて苛性ソーダ計量槽５から苛性ソーダを吸引し、エゼクタ駆動水により苛性ソーダを希釈しながら純水装置８内に上部から注入させる。
【０００４】
そして、純水装置８に注入した苛性ソーダにてイオン交換能力を失ったイオン交換樹脂層９の強塩基性陰イオン交換樹脂は活性化されて再生し、この苛性ソーダは純水装置８の中間部から排水し、引き続き、エゼクタ駆動水路１３を流れるエゼクタ駆動水がエゼクタ１０にて塩酸計量槽６から塩酸を引き出し、エゼクタ駆動水により塩酸を希釈しながら純水装置８内に下部から注入し、塩酸にてイオン交換能力を失った強酸性陽イオン交換樹脂を活性化させて再生し、この塩酸を純水装置８の中間部から排水するようにしている。
【０００５】
この図３に示す再生方法では、苛性ソーダ計量槽５及び塩酸計量槽６を設けるため、計量槽５，６の設置スペースを必要とし、また、塩酸計量槽６から発生する塩化水素ガスを処理する装置を必要とし、さらに、この塩酸計量槽６には常時塩酸が貯留されているため、塩化水素ガスが常時発生しており、この塩酸計量槽６の設置場所の周辺に配置されている機器を腐食するおそれがある。
【０００６】
また、従来、苛性ソーダ計量槽及び塩酸計量槽を用いないで、図４に示すように、流量計、例えば苛性ソーダ用流量計１１及び塩酸用流量計１２を用い、純水装置８の再生時にこの流量計１１，１２でそれぞれ計量された苛性ソーダ及び塩酸を純水装置８に順次に注入させる再生方法も知られている（例えば、特許文献１参照。）。
【０００７】
この図４に示す方法は、イオン交換樹脂層の再生工程で、エゼクタ駆動水路１３を流れるエゼクタ駆動水にて貯槽１，２から苛性ソーダ及び塩酸を引き出し流量計１１，１２でそれぞれ計量しながら純水装置８に注入するもので、この苛性ソーダ用流量計１１及び塩酸用流量計１２にて一回の再生に必要な苛性ソーダ及び塩酸をそれぞれ計量する。
【０００８】
この苛性ソーダ用流量計１１で計量された苛性ソーダはエゼクタ駆動水路１３を流れるエゼクタ駆動水でエゼクタ７にて引き出され、エゼクタ駆動水により苛性ソーダを希釈しながら純水装置８内に上部から注入され、この苛性ソーダにてイオン交換能力を失った強塩基性陰イオン交換樹脂を再生し、この苛性ソーダを純水装置８の中間部から排水する。
【０００９】
次いで、貯槽２から引き出された塩酸は、塩酸用流量計１２で計量されながら、エゼクタ駆動水により希釈されながら純水装置８内に下部から注入され、この塩酸にてイオン交換能力を失った強酸性陽イオン交換樹脂は再生し、この塩酸とエゼクタ駆動水とを純水装置８の中間部から排水するようにしている。
【００１０】
なお、この図４に示す方法では、苛性ソーダの貯槽１及び塩酸の貯槽２からエゼクタ７，１０にて苛性ソーダ、塩酸をそれぞれ引き出すようにしているが、エゼクタ７，１０の吸い込み能力が不足するときには、図４に示すポンプ３，４を設け、このポンプ３，４とエゼクタ７，１０と併用してそれぞれ苛性ソーダ及び塩酸を貯槽１，２から引き出して流量計１１，１２を経て純水装置８に注入するようにしている。
【００１１】
この純水装置８に供給する苛性ソーダ及び塩酸を流量計１１，１２でそれぞれ計量する装置では、耐塩酸用の流量計としては、電磁式などの流量計が用いられてきたが非常に高価であり、また、比較的安価な薬液用の流量計もあるが、塩酸の計量に使用すると、比較的短期間で破損してしまうという問題があった。
【００１２】
【特許文献１】
特開２０００−８４５５２号公報（第２−４頁、図１）
【００１３】
【発明が解決しようとする課題】
上記図３に示す従来の再生装置では、計量槽及び設置スペースが必要であり、塩酸計量槽から発生する塩化水素ガスにより、付帯機器が腐蝕し易いという問題があった。また、上記図４に示す従来の再生装置では、高価な耐再生剤性を有する流量計を用いなくてはならないという問題があった。
【００１４】
本発明者は鋭意研究の結果、安価な流量計を塩酸の計量に使用することにより、流量計が短期間で破損してしまう原因を突き止めた。すなわち、イオン交換樹脂層の再生終了後も塩酸用の流量計の内部には塩酸が残留し、この残留している塩酸の一部が気化し、塩化水素ガスとなり、塩化水素ガスが流量計の接液部を通過して電気回路を腐食させて故障、破損させていたことを確認できた。
【００１５】
本発明は上記従来の問題点に鑑みなされたもので、イオン交換能力を失ったイオン交換樹脂層、例えば強酸性陽イオン交換樹脂を再生処理する純水装置の再生工程において、イオン交換樹脂を活性化させる再生剤、例えば、塩酸を純水装置に注入した後、純水装置に残留した例えば塩酸をイオン交換樹脂と充分に反応させるための押し出し水の少なくとも一部を塩酸用流量計に通過させることにより、塩酸用流量計を洗浄し、塩酸用流量計が塩化水素ガスで腐食されることがなく、高価な流量計などを用いる必要がなく、計量槽及びその設置スペース、また、塩酸計量槽の塩酸から発生する塩化水素ガスにより付帯機器の腐食の問題を解決した純水装置の再生方法及びその装置を提供するものである。
【００１６】
【課題を解決するための手段】
請求項１記載の発明の純水装置の再生方法は、純水装置内の原水中の不純物を除去するイオン交換樹脂層に再生剤を注入し、イオン交換能力を失ったイオン交換樹脂層のイオン交換樹脂を活性化する純水装置の再生方法であって、前記純水装置に流量計にて再生剤を計量しながら注入し、この再生剤を前記純水装置に注入後、この純水装置のイオン交換樹脂層内に残留した再生剤を押し出す水を純水装置に注入するとともにこの水の少なくとも一部は前記流量計を経て純水装置に注入するものである。
【００１７】
そして、純水装置のイオン交換能力を失ったイオン交換樹脂層のイオン交換樹脂、例えば強酸性陽イオン交換樹脂を再生処理するときは、イオン交換樹脂層のイオン交換樹脂を活性化する再生剤、例えば塩酸を流量計に移送し、この再生剤を流量計で計量しながら純水装置に注入して、強酸性陽イオン交換樹脂を活性化させる。
【００１８】
このように純水装置に再生剤を注入した後に、再生剤の注入を停止し、引き続き、押し出し水のみを純水装置内に注入することにより、純水装置に残留した再生剤、例えば塩酸がイオン交換樹脂と充分に反応し、純水装置に再生剤が残留することがない。この工程を押出工程という。
【００１９】
この押出工程において、純水装置に注入する押し出し水の少なくとも一部を流量計に通過させることにより、安価な流量計の破損や付帯機器の腐食が激減することが確認された。これは、押し出し水が流量計を通過することにより流量計の内部が洗浄され、塩酸が残留することがなく、したがって、塩化水素ガスの発生がなくなったためと推測される。
【００２０】
請求項２記載の純水装置の再生方法は、請求項１記載の純水装置の再生方法において、イオン交換樹脂は強酸性陽イオン交換樹脂であり、再生剤は塩酸である。
【００２１】
請求項３記載の純水装置の再生装置は、原水中の不純物を除去するイオン交換樹脂層を形成した純水装置と、前記イオン交換樹脂層のイオン交換樹脂を活性化する再生剤を貯留する貯槽と、この貯槽から移送された再生剤を計量する流量計と、前記純水装置にエゼクタ駆動水を供給するエゼクタ駆動水路と、このエゼクタ駆動水路に設けられ前記流量計の二次側を被吸引部に接続したエゼクタと、前記エゼクタの一次側と前記貯槽とを流量計の一次側に切換え接続する三方弁とを備えたものである。
【００２２】
そして、イオン交換能力を失ったイオン交換樹脂層のイオン交換樹脂、例えば強酸性陽イオン交換樹脂を再生処理するときは、三方弁を再生剤の貯槽と流量計の一次側とが連通するように切換え、この状態で、エゼクタ駆動水路にエゼクタ駆動水を通水すると、貯槽からイオン交換樹脂層のイオン交換樹脂を活性化する再生剤が流量計で計量されながら、エゼクタの被吸引部に引き出され、エゼクタに移送された再生剤はエゼクタ駆動水路に流入される。
【００２３】
このエゼクタでエゼクタ駆動水路に流入された再生剤はエゼクタ駆動水にて希釈されながら純水装置に注入されて純水装置内を流動し、この再生剤、例えば塩酸が純水装置内に流動すると、塩酸がイオン交換樹脂層、例えば強酸性陽イオン交換樹脂を活性化して純水装置内から排出される。
【００２４】
設定量の再生剤が純水装置内に注入された後に、三方弁を再生剤の注入時に連通されていた再生剤の貯槽と流量計の一次側とを遮断し、流量計の一次側とエゼクタの一次側とが連通するように切換え、エゼクタ駆動水路から純水装置に注水すると、純水装置に残留した例えば塩酸の再生剤がイオン交換樹脂と充分に反応され、純水装置に再生剤が残留することがない。
【００２５】
また、純水装置に残留した再生剤、例えば塩酸がイオン交換樹脂と充分に反応させるために純水装置内にエゼクタ駆動水を流動させるとき、純水装置内に流動させる駆動水の少なくとも一部が流量計を通過することにより、流量計の内部を洗浄し、流量計内に再生剤の残留がなくなり、再生剤例えば塩酸用流量計が塩化水素ガスで腐食されることがない。
【００２６】
【発明の実施の形態】
次に本発明の一実施例の構成を図１に基いて説明する。
【００２７】
再生剤、例えば苛性ソーダの貯槽２１に苛性ソーダ液移送路２２が接続され、この苛性ソーダ液移送路２２に苛性ソーダ用流量計２３の一次側が接続されている。そして、この苛性ソーダ用流量計２３の二次側は開閉弁２４を介して苛性ソーダ用エゼクタ駆動水路２５に設けたエゼクタ２６の被吸引側に接続されている。
【００２８】
また、再生剤、例えば塩酸の貯槽２７に再生剤移送路２８が接続され、この再生剤移送路２８に電動三方ボール弁などの三方弁２９を介して再生剤流量計、例えば塩酸用流量計３０の一次側が接続されている。そして、この塩酸用流量計３０の二次側は塩酸用エゼクタ駆動水路３１に設けたエゼクタ３２の被吸引側に開閉弁３３を介して接続されている。
【００２９】
この苛性ソーダ用流量計２３と塩酸用流量計３０とは、タービン式流量計又は流量センサによる電磁式流量計など適宜の流量計を適用でき、また、再生剤から発生する塩化水素ガスに対し耐腐食性材質または機構を用いた高価な流量計に限らず、比較的安価な薬液用流量計を使用できる。
【００３０】
前記苛性ソーダ用エゼクタ駆動水路２５及び塩酸用エゼクタ駆動水路３１は純水装置３４に接続した原水路３５からそれぞれ分岐接続され、この苛性ソーダ用エゼクタ駆動水路２５に接続した前記エゼクタ２６は開閉弁３６を介して前記原水路３５に設けた開閉弁３７の二次側に接続され、この原水路３５に接続した開閉弁３７の二次側は前記純水装置３４の上部に接続されている。また、前記塩酸用エゼクタ駆動水路３１に接続した前記エゼクタ３２は開閉弁３８を介して前記純水装置３４の下部に接続されている。また、この塩酸用エゼクタ駆動水路３１のエゼクタ３２の一次側には前記三方弁２９が洗浄バイパス路３９にて接続されている。
【００３１】
この三方弁２９は塩酸用流量計３０の一次側を、再生剤移送路２８の二次側と洗浄バイパス路３９とを選択的に切換え連通させるとともに塩酸用流量計３０の一次側を再生剤移送路２８の二次側及び洗浄バイパス路３９と遮断するように切換えられる。
【００３２】
さらに、前記原水路３５の開閉弁３７の一次側から分岐接続した逆洗水路４０には開閉弁４１を介して、前記純水装置３４の下部に接続されている。また、この純水装置３４の上部には開閉弁４２が接続され、また、この純水装置３４の中間部には開閉弁４３が接続され、この両開閉弁４２，４３は再生水排水路４４にそれぞれ接続されている。
【００３３】
また、前記純水装置３４の下部には水洗排水路４５と純水出口路４６とが接続され、この水洗排水路４５と純水出口路４６とには開閉弁４７，４８がそれぞれ設けられている。
【００３４】
さらに、前記純水装置３４は内部に充填した強酸性陽イオン交換樹脂と強塩基性陰イオン交換樹脂とのイオン交換樹脂層４９が形成される。なお、この強酸性陽イオン交換樹脂、強塩基性陰イオン交換樹脂は一般的には均一に混合した混合層を形成して用いられる。そして、この混合層に原水を通過させると原水中のイオン状塩類が吸着除去されて純水が得られる。
【００３５】
さらに、前記純水装置３４の下部には空気路５０が接続され、この空気路５０には開閉弁５１が設けられている。
【００３６】
次に、本発明の純水装置の再生方法の実施の形態を説明する。
【００３７】
純水工程では、原水路３５の開閉弁３７と純水出口路４６の開閉弁４８が開口されており、原水は原水路３５から純水装置３４内の上部に流入され、純水装置３４に流入した原水は、この原水中に混入しているイオン状塩類などの不純物が強酸性陽イオン交換樹脂と強塩基性陰イオン交換樹脂によりイオン交換されて除去され、例えば、規定純度０．１ｍＳ／ｍ以下の純水として純水装置３４の下部から純水出口路４６に流出され、純水が採水される。
【００３８】
この純水の採水によりイオン交換樹脂層４８の強酸性陽イオン交換樹脂と強塩基性陰イオン交換樹脂がイオン交換能力を失った場合には、再生工程で再生剤により強酸性陽イオン交換樹脂と強塩基性陰イオン交換樹脂のイオン交換能力を回復させる。
【００３９】
この再生工程は、図２に示すように、逆洗工程、沈静工程、苛性ソーダ薬注工程、塩酸薬注工程、押出工程、水洗工程、混合工程、第二沈静工程、第二水洗工程の各工程を順次に行う。
【００４０】
まず、逆洗工程について説明する。
【００４１】
この逆洗工程は、逆洗水路４０の開閉弁４１を開くとともに純水装置３４の上部に接続した開閉弁４２を開き、洗浄用原水又は洗浄用清水などの洗浄水を逆洗水路４０から純水装置３４の下部に上向きに流入させると、洗浄水は強酸性陽イオン交換樹脂と強塩基性陰イオン交換樹脂とのイオン交換樹脂層４９を解きほぐしながらこの強酸性陽イオン交換樹脂と強塩基性陰イオン交換樹脂に付着している懸濁物質、コロイド状物質を洗い出し、懸濁物質、コロイド状物質を含む洗浄した水は再生水排水路４４から排出される。
【００４２】
そして、この逆洗工程にて混合していた強酸性陽イオン交換樹脂と強塩基性陰イオン交換樹脂は比重差により、イオン交換樹脂層４９は上部に強塩基性陰イオン交換樹脂、下部に強酸性陽イオン交換樹脂が分離される。
【００４３】
次の沈静工程は、逆洗水路４０の開閉弁４１と純水装置３４の上部に接続した開閉弁４２とを閉じ、前記逆洗工程で浮上分離していた強酸性陽イオン交換樹脂と強塩基性陰イオン交換樹脂を沈静化し、上部に強塩基性陰イオン交換樹脂、下部に強酸性陽イオン交換樹脂が積層され、再生剤の薬注効果を良好とする。
【００４４】
次の再生剤、すなわち苛性ソーダ薬注工程では、純水装置３４の中間部に接続した開閉弁４３、苛性ソーダ用エゼクタ駆動水路２５に接続した開閉弁３６、また、苛性ソーダ用流量計２３に接続した開閉弁２４、さらに、塩酸用エゼクタ駆動水路３１の開閉弁３８をそれぞれ開放し、原水又は清水の駆動水を苛性ソーダ用エゼクタ駆動水路２５及び塩酸用エゼクタ駆動水路３１に流動させる。
【００４５】
そして、貯槽２１の苛性ソーダ、例えば２５％ＮａＯＨは、エゼクタ２６を流れる苛性ソーダ用エゼクタ駆動水路２５のエゼクタ駆動水にて吸引され、この苛性ソーダは苛性ソーダ用流量計２３を経てエゼクタ駆動水にて希釈されながら純水装置３４の上部から内部に流入され、苛性ソーダはイオン交換樹脂層４９の強塩基性陰イオン交換樹脂に接触しながら純水装置３４の中間部から再生水排水路４４に排出され、強塩基性陰イオン交換樹脂は活性化される。また、このとき塩酸用エゼクタ駆動水路３１から駆動水が純水装置３４の下部から流入され、イオン交換樹脂層４９を通過接触しながら抑え水となって純水装置３４の中間部から再生水排水路４４に排出される。
【００４６】
この苛性ソーダ薬注工程が終了すると、苛性ソーダ用流量計２３に接続した開閉弁２４を閉じ、純水装置３４の中間部に接続した開閉弁４３、苛性ソーダ用エゼクタ駆動水路２５に接続した開閉弁３６及び塩酸用エゼクタ駆動水路３１の開閉弁３８の開放状態を継続し、また、塩酸用流量計３０に接続した開閉弁３３を開放し、また、三方弁２９を再生剤移送路２８と塩酸用流量計３０の一次側とが連通するように切換える。
【００４７】
そして、原水又は清水のエゼクタ駆動水を苛性ソーダ用エゼクタ駆動水路２５及び塩酸用エゼクタ駆動水路３１に引き続き流動させることにより塩酸薬注工程になる。
【００４８】
この塩酸薬注工程では、貯槽２７の塩酸、例えば３５％ＨＣｌは塩酸用流量計３０を経てエゼクタ３２を流れる塩酸用エゼクタ駆動水路３１のエゼクタ駆動水にて吸引され、エゼクタ駆動水にて希釈されながら塩酸は純水装置３４のイオン交換樹脂層４９に下部から流入されてイオン交換樹脂層４９の強酸性陽イオン交換樹脂に接触しながら純水装置３４の中間部から再生水排水路４４に排出され、強酸性陽イオン交換樹脂は活性化される。また、このとき苛性ソーダ用エゼクタ駆動水路２５からエゼクタ駆動水が純水装置３４の上部に注入され、強塩基性陰イオン交換樹脂に接触しながら抑え水となって純水装置３４の中間部から再生水排水路４４に排出される。
【００４９】
次の押出工程は、純水装置３４の再生工程において、純水装置３４のイオン交換樹脂層４９に残留した苛性ソーダ及び塩酸の再生剤をイオン交換樹脂と充分に反応させて押し出す工程である。
【００５０】
この押出工程では、純水装置３４の中間部に接続した開閉弁４３、苛性ソーダ用エゼクタ駆動水路２５に接続した開閉弁３６及び塩酸用エゼクタ駆動水路３１の開閉弁３８の開放状態を継続するとともに三方弁２９を再生剤の注入時に連通されていた再生剤移送路２８と塩酸用流量計３０の一次側とを遮断し、この塩酸用流量計３０の一次側とエゼクタ３２の一次側とが連通するように切換える。
【００５１】
そして、純水装置３４内にエゼクタ駆動水を引き続き流動させて、純水装置３４内に上下部から流入し、イオン交換樹脂層４９の強塩基性陰イオン交換樹脂及び強酸性陽イオン交換樹脂に残留した苛性ソーダ及び塩酸を強塩基性陰イオン交換樹脂及び強酸性陽イオン交換樹脂と充分に反応させ、駆動水は再生水排水路４４から排出される。
【００５２】
また、純水装置３４内にエゼクタ駆動水を流動させるとき、純水装置３４内に流動させるエゼクタ駆動水の一部が洗浄バイパス路３９を経て塩酸用流量計３０を通過し、エゼクタ３２の被吸引側から駆動水に吸い込まれ、塩酸用流量計３０の内部に残留する塩酸を洗浄し、純水装置３４に流入し、塩酸用流量計３０がこの塩酸用流量計３０内に残留する塩酸から発生する塩化水素ガスにより腐食されることがないようにする。
【００５３】
次に、水洗工程は、押出工程後にイオン交換樹脂層４９内に残留する微量の再生剤を水洗除去する工程で、純水装置３４の中間部に接続した開閉弁４３、苛性ソーダ用エゼクタ駆動水路２５に接続した開閉弁３６及び塩酸用エゼクタ駆動水路３１の開閉弁３８を閉じる。
【００５４】
次いで、逆洗水路４０の開閉弁４１を開くとともに純水装置３４の上部に接続した開閉弁４２を開き、洗浄用原水又は洗浄用清水などの洗浄水を逆洗水路４０から純水装置３４の下部に上向きに流入させ、イオン交換樹脂層４９内に残留する再生剤を水洗除去する。この洗浄水は再生水排水路４４から系外に排出させる。
【００５５】
また、次の混合工程では、純水装置３４の上部に接続した開閉弁４２を引き続き開くとともに空気路５０の開閉弁５１を開き、純水装置３４の下部から水分油分を含有していない空気を吹き込み、イオン交換樹脂層４９の再生処理で分離したイオン交換樹脂層４９の強酸性陽イオン交換樹脂と強塩基性陰イオン交換樹脂とを均一に混合する。
【００５６】
また、次の第二沈静工程では、純水装置３４の上部に接続した開閉弁４２を開き、さらに、水洗排水路４５の開閉弁４７を開くとともに原水路３５の開閉弁３７を開き、純水装置３４の上部から原水を注入して下部から水洗排水路４５に排水し、イオン交換樹脂層４９の強酸性陽イオン交換樹脂と強塩基性陰イオン交換樹脂を強制的に沈下させ、沈下速度を高める。
【００５７】
さらに、第二水洗工程では、純水装置３４の上部に接続した開閉弁４２を閉じ、原水路３５の開閉弁３７を開くとともに水洗排水路４５の開閉弁４７を開き、純水装置３４に上部から注水し、純水装置３４の下部から水洗排水路４５に排出させ、この水洗排水路４５から採水して純水が得られるかを純度計５４にて確認し、処理水が所定の純度に達していると自動的に純水工程に切換わる。すなわち、水洗排水路４５の開閉弁４７が閉じるとともに純水出口路４６の開閉弁４８が開口され、原水は純水装置３４のイオン交換樹脂層４９にて純水処理されて純水出口路４６から採水される。
【００５８】
そして、純水工程中に採水された純水の水質が低下したときには前記第二水洗工程に切換わり、水質が改善されない場合には制御装置が警報を出力する。
【００５９】
前記各開閉弁２４，３３，３６，３７，３８，４１，４２，４３，４７，４８，５１は自動開閉弁とし、また三方弁２９は自動三方弁として制御装置により再生工程から純水工程に自動的に制御される。
【００６０】
なお、前記実施の形態では、苛性ソーダの貯槽２１と塩酸の貯槽２７からそれぞれエゼクタ２６，３２の吸引作用で再生剤の苛性ソーダ液と塩酸を流量計２３，３０を経てエゼクタ駆動水に希釈されて純水装置３４に注入する方法について説明したが、必要に応じて、図１に図示するように、苛性ソーダの貯槽２１と塩酸の貯槽２７にそれぞれ接続した再生剤移送路２２，２８に再生剤移送ポンプ５２，５３を設けて、この再生剤移送ポンプ５２，５３とエゼクタ２６，３２とを併用して貯槽２１，２７から苛性ソーダ液と塩酸を再生剤移送路２２，２８に送出させて流量計２３，３０に移送するようにすることもできる。
【００６１】
【発明の効果】
本発明の純水装置の再生方法によれば、純水装置のイオン交換能力を失ったイオン交換樹脂層のイオン交換樹脂、例えば強酸性陽イオン交換樹脂を再生処理する場合には、純水装置に残留した例えば塩酸の再生剤をイオン交換樹脂と充分に反応させる水を純水装置に流入するとき、純水装置内に流動させる水の少なくとも一部がイオン交換樹脂層のイオン交換樹脂を活性化する再生剤、例えば塩酸を計量する流量計を通過することにより、流量計を洗浄し、流量計に塩酸が残留することがなく、塩化水素ガスの発生がなく、流量計の周辺部が腐食されることがないので、高価な流量計などを用いる必要がなく、設置スペースを必要とする計量槽を用いる必要がないため、塩酸計量槽内の塩酸から発生する塩化水素ガスにより腐食の問題を解決できる。
【００６２】
また、本発明の純水装置の再生装置によれば、設定量の再生剤が純水装置内に注入された後に、三方弁を流量計の一次側とエゼクタの一次側とが連通するように切換え、エゼクタ駆動水路から純水装置に水を流入させ、純水装置に残留した例えば塩酸の再生剤がイオン交換樹脂と充分に反応して純水装置に再生剤が残留することがないようにするとき、純水装置内に流動させる駆動水の少なくとも一部が流量計を通過することにより、流量計を洗浄し、例えば塩酸用流量計が塩化水素ガスで腐食されることがない。
【図面の簡単な説明】
【図１】本発明の一実施の形態を示す純水装置の再生装置の配管図である。
【図２】同上再生装置のフローチャートである。
【図３】従来の純水装置の再生装置の配管図である。
【図４】従来の他の純水装置の再生装置の配管図である。
【符号の説明】
２７    貯槽
２８    再生剤移送路
２９    三方弁
３０    流量計
３１    エゼクタ駆動水路
３２    エゼクタ
３４    純水装置
４９    イオン交換樹脂層
【図１】
2004305864.tif 000003
【図２】
2004305864.tif 000004
【図３】
2004305864.tif 000005
【図４】
2004305864.tif 000006